【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
筐体と、
前記筐体の内部に設けられ、吸込口から吸い込まれた空気を高圧空気として発生させる高圧空気発生部と、
前記筐体の側面から互いに間隔を設けて放射状に延設した複数の柱状体と、
前記柱状体のそれぞれに設けられ、前記高圧空気発生部に連通口を介して連通する第一風路および前記柱状体の底部に設けられ、前記第一風路と連通した第一吹出口と、
前記筐体に設けられ、前記高圧空気発生部に連通する第二風路および前記筐体の底部に設けられ、前記第二風路に連通する第二吹出口と、
前記第一吹出口および前記第二吹出口から気流を吹き出すスポット気流モードと、前記第二吹出口から気流を吹き出さずに前記第一吹出口から気流を吹き出すワイド気流モードとを選択する制御部と、
を備えていることを特徴とする送風装置。
【請求項２】
前記第二風路と前記第二吹出口との間に設けられた遮蔽板によって、前記第二吹出口を開口状態又は閉口状態のいずれかに設定することを特徴とする請求項１に記載の送風装置。
【請求項３】
前記第二吹出口は複数設けられており、
前記制御部は、前記第一吹出口および複数の前記第二吹出口のうち一部の前記第二吹出口から気流を送風する第二スポット気流モードをさらに選択可能であることを特徴とする請求項１又は２に記載の送風装置。
【請求項４】
前記筐体内で遮蔽板を回動させることで、前記第二風路と前記第二吹出口とを連通させ前記第二吹出口から高圧空気を送風させる状態から、前記第二風路と前記第二吹出口とを連通させず閉塞する状態へと切り替えることを特徴とする請求項１に記載の送風装置。
【請求項５】
前記第一吹出口の吹出方向が装置の外周方向に設定されていることを特徴とする請求項１から４のいずれか1つに記載の送風装置。
【請求項６】
前記第二吹出口は、前記筐体の中央から放射状に延在する縦長形状であることを特徴とする請求項１から５のいずれか1つに記載の送風装置。
【手続補正２】
【補正対象書類名】明細書
【補正対象項目名】発明の名称
【補正方法】変更
【補正の内容】
【発明の名称】送風装置
【手続補正３】
【補正対象書類名】明細書
【補正対象項目名】００１２
【補正方法】変更
【補正の内容】
【００１２】
そして、この目的を達成するために、本発明に係る送風装置は、筐体と、筐体の内部に設けられ、吸込口から吸い込まれた空気を高圧空気として発生させる高圧空気発生部と、筐体の側面から互いに間隔を設けて放射状に延設した複数の柱状体と、柱状体のそれぞれに設けられ、高圧空気発生部に連通口を介して連通する第一風路および柱状体の底部に設けられ、第一風路と連通した第一吹出口と、筐体に設けられ、高圧空気発生部に連通する第二風路および筐体の底部に設けられ、第二風路に連通する第二吹出口と、第一吹出口および第二吹出口から気流を吹き出すスポット気流モードと、第二吹出口から気流を吹き出さずに第一吹出口から気流を吹き出すワイド気流モードとを選択する制御部と、を備えているものであり、これにより所期の目的を達成するものである。
【手続補正４】
【補正対象書類名】明細書
【補正対象項目名】００１３
【補正方法】変更
【補正の内容】
【００１３】
本発明に係る送風装置によれば、筐体の側面から互いに間隔を設けて放射状に延設した複数の柱状体の底部に設けられた第一吹出口から気流を吹き出すワイド気流モードと、筐体の底部に設けられた第二吹出口と柱状体の底部に設けられた第一吹出口とから気流を吹き出すスポット気流モードとを備えることで、使用者が送風範囲および風速を適宜変更することが可能になる。
【手続補正５】
【補正対象書類名】明細書
【補正対象項目名】００１５
【補正方法】変更
【補正の内容】
【００１５】
本発明に係る送風装置は、筐体と、筐体の内部に設けられ、吸込口から吸い込まれた空気を高圧空気として発生させる高圧空気発生部と、筐体の側面から互いに間隔を設けて放射状に延設した複数の柱状体と、柱状体のそれぞれに設けられ、高圧空気発生部に連通口を介して連通する第一風路および柱状体の底部に設けられ、第一風路と連通した第一吹出口と、筐体に設けられ、高圧空気発生部に連通する第二風路および筐体の底部に設けられ、第二風路に連通する第二吹出口と、第一吹出口および第二吹出口から気流を吹き出すスポット気流モードと、第二吹出口から気流を吹き出さずに第一吹出口から気流を吹き出すワイド気流モードと、を選択する制御部とを備えていることを特徴とするものである。
【手続補正６】
【補正対象書類名】明細書
【補正対象項目名】００１７
【補正方法】変更
【補正の内容】
【００１７】
また、本発明に係る送風装置は、第二風路と第二吹出口との間に設けられた遮蔽板によって、第二吹出口を開口状態又は閉口状態のいずれかに設定することを特徴とするものである。
【手続補正７】
【補正対象書類名】明細書
【補正対象項目名】００１９
【補正方法】変更
【補正の内容】
【００１９】
また、本発明に係る送風装置は、第二吹出口は複数設けられており、制御部は、第一吹出口および複数の第二吹出口のうち一部の第二吹出口から気流を送風する第二スポット気流モードをさらに選択可能であることを特徴とするものである。
【手続補正８】
【補正対象書類名】明細書
【補正対象項目名】００２１
【補正方法】変更
【補正の内容】
【００２１】
また、本発明に係る送風装置は、筐体内で遮蔽板を回動させることで、第二風路と第二吹出口とを連通させ第二吹出口から高圧空気を送風させる状態から、第二風路と第二吹出口とを連通させず閉塞する状態へと切り替えることを特徴とする。
【手続補正９】
【補正対象書類名】明細書
【補正対象項目名】００２３
【補正方法】変更
【補正の内容】
【００２３】
また、本発明に係る送風装置は、第一吹出口の吹出方向が送風装置の外周方向に設定されていることを特徴とするものである。
【手続補正１０】
【補正対象書類名】明細書
【補正対象項目名】００２５
【補正方法】変更
【補正の内容】
【００２５】
また、本発明に係る送風装置は、第二吹出口が筐体の中央から放射状に延在する縦長形状であることを特徴とするものである。
【手続補正１１】
【補正対象書類名】明細書
【補正対象項目名】００３６
【補正方法】変更
【補正の内容】
【００３６】
図１および図２で示すように、筐体１２の側面１５から互いに等しい間隔で放射状に延設された８本の柱状体１６が備えられている。また、柱状体１６の底部２５に設けられた第一吹出口２６は、縦長形状のスリット（短手幅３．５ｍｍ、長手幅約５００ｍｍ）で形成されている。したがって、柱状体１６に設けられた第一吹出口２６は、筐体１２からそれぞれ等しい間隔で放射状に配置されている。また、第一風路２７は、第一風路２７を中心軸３２に平行な方向における断面において、吹出方向に向かって延在するように形成されている。これにより、第一風路２７内を移動する空気を第一吹出口２６へ吹出すように効率良く整流している。
【手続補正１２】
【補正対象書類名】明細書
【補正対象項目名】００４８
【補正方法】変更
【補正の内容】
【００４８】
本構成においては、送風装置１１の中心軸３２から第一吹出口２６および第二吹出口３３を放射状に延設されている。したがって、中心軸３２から遠い側であればあるほど一定面積あたりの第一吹出口２６および第二吹出口３３の占有する面積は、小さくなる。その結果、図７（ａ）、（ｂ）、（ｃ）で示す中心軸３２から遠い側の吹出空気流４３ａは、中心軸３２に近い側の吹出空気流４３ｂよりも一定面積あたりの風量が少なくなる。
【手続補正１３】
【補正対象書類名】明細書
【補正対象項目名】００４９
【補正方法】変更
【補正の内容】
【００４９】
その結果、図７（ａ）、（ｂ）、（ｃ）に示すように、中心軸３２から遠い側の吹出空気流４３ａおよび誘引空気流４１が合流した外側混合空気流４４ａは、中心軸３２に近い側の吹出空気流４３ｂおよび誘引空気流４１が合流した内側混合空気流４４ｂよりも風速の距離減衰が大きいため、風速が減衰し低風速となり、中心軸３２から遠い側の外側混合空気流４４ａは、中心軸３２に近い側の内側混合空気流４４ｂに向けて偏向して流れるようになり、このような作用で混合空気流４５が形成される。
【手続補正１４】
【補正対象書類名】明細書
【補正対象項目名】００５０
【補正方法】変更
【補正の内容】
【００５０】
このとき、中心軸３２から遠い側の外側混合空気流４４ａの偏向の程度は、中心軸３２から遠い側の外側混合空気流４４ａと中心軸３２に近い側の内側混合空気流４４ｂとの風量の差異が大きいほど強くなり、両者の風量の差異が小さいほど偏向の程度は弱くなる。
【手続補正１５】
【補正対象書類名】明細書
【補正対象項目名】００５３
【補正方法】変更
【補正の内容】
【００５３】
つまり、中心軸３２から遠い側の吹出空気流４３ａの風量と中心軸３２に近い側の吹出空気流４３ｂの風量の差異の大小を変化させることで、使用者が享受する混合空気流４５の送風範囲および風速を変化させることができる。
【手続補正１６】
【補正対象書類名】明細書
【補正対象項目名】００５９
【補正方法】変更
【補正の内容】
【００５９】
次に、図６（ｂ）は、８個のうち４個の第二吹出口３３が遮蔽板２２によって遮蔽されず第二吹出口連通口３５に連通していることで、４個の第二吹出口３３から第二吹出空気流４０が吹出されるスポット気流モードＢの状態を示している。スポット気流モードＢの場合においては、スポット気流モードＡと比較して、第二吹出口３３が半減しているため、中心軸３２から遠い側の外側混合空気流４４ａの風量と中心軸３２に近い側の内側混合空気流４４ｂの風量との差異は小さくなる。
【手続補正１７】
【補正対象書類名】明細書
【補正対象項目名】００６２
【補正方法】変更
【補正の内容】
【００６２】
最後に、図６（ｃ）は、全ての第二吹出口３３が遮蔽板２２によって遮蔽されて第二吹出口連通口３５に連通していないことで、いずれの第二吹出口３３からも第二吹出空気流４０が吹出されないワイド気流モードの状態を示している。ワイド気流モードの場合においては、スポット気流モードＢと比較して、中心軸３２から遠い側の外側混合空気流４４ａの風量と中心軸３２に近い側の内側混合空気流４４ｂの風量との差異はさらに小さくなる。
【手続補正１８】
【補正対象書類名】明細書
【補正対象項目名】００６７
【補正方法】変更
【補正の内容】
【００６７】
なお、本実施の形態では、遮蔽板２２の回動位置によって、第二吹出口３３と第二吹出口連通口３５との連通の状態を制御しているが、それぞれの第二吹出口３３の開口度を調節するため、複数の遮蔽板２２を回動させて、第二吹出口３３の開口度を制御してもよい。これによって、第二吹出口３３の個数を抑制しつつ、複数のスポット気流モードを設定することが可能になる。
【手続補正１９】
【補正対象書類名】図面
【補正対象項目名】図２
【補正方法】変更
【補正の内容】
【図２】
2019148170.tif 000001
【手続補正２０】
【補正対象書類名】図面
【補正対象項目名】図３
【補正方法】変更
【補正の内容】
【図３】
2019148170.tif 000002
【手続補正２１】
【補正対象書類名】図面
【補正対象項目名】図５
【補正方法】変更
【補正の内容】
【図５】
2019148170.tif 000003
【手続補正２２】
【補正対象書類名】図面
【補正対象項目名】図６
【補正方法】変更
【補正の内容】
【図６】
2019148170.tif 000004
【手続補正２３】
【補正対象書類名】図面
【補正対象項目名】図７
【補正方法】変更
【補正の内容】
【図７】
2019148170.tif 000005